(57)【要約】【課題】  複数人が左右方向に並んで使用する鏡を備えたカウンタにおいて、隣り合うカウンタの使用者同士の視線を、鏡を通して合わせたり遮ったりすることができる鏡を備えたカウンタを提供すること。【解決手段】  複数人Ａ、Ｂが並んで使用可能なカウンタ１における天板３上に仕切板４を立設し、この仕切板４の少なくとも前面側に左右方向に横長の鏡５を設け、物品を収容可能であるとともに、互いに隣り合う使用者Ａ、Ｂからの鏡５を通しての視線を遮蔽するための遮蔽部８、１１を有する棚７を、鏡５の表面に沿って左右方向に移動自在に設ける。【選択図】  図３
2006020740.tif 000002
【特許請求の範囲】
【請求項１】
複数人が並んで使用可能なカウンタにおける天板上に仕切板を立設し、該仕切板の少なくとも前面側に左右方向に横長の鏡を設け、物品を収容可能であるとともに、互いに隣り合う使用者からの前記鏡を通しての視線を遮蔽するための遮蔽部を有する棚を、前記鏡の表面に沿って左右方向に移動自在に設けたことを特徴とする鏡を備えたカウンタ。
【請求項２】
前記遮蔽部は、前記鏡の上端縁から下端縁に渡って配置されている請求項１に記載の鏡を備えたカウンタ。
【請求項３】
前記棚の少なくとも一部が、透光性を有する部材で構成されている請求項１または２に記載の鏡を備えたカウンタ。
【請求項４】
前記鏡の左右両側部に前後方向を向く側板を配置し、前記棚が、前記側板に当接されるようにした請求項１ないし３のいずれかに記載の鏡を備えたカウンタ。
【発明の詳細な説明】
【技術分野】
【０００１】
本発明は、商業施設等において、複数人が左右方向に並んで使用することができる鏡を備えたカウンタに関する。
【背景技術】
【０００２】
従来の鏡台としては、天板の後側にミラー支持板を立設し、化粧品等を収納するための収納棚をミラー支持板の後側に設けるとともに、このミラー支持板を上下に昇降可能とすることにより、ミラー支持板が上昇したときには収納棚が開放され、ミラー支持板が降下したときには収納棚を閉鎖できるようになっているものがある（例えば、特許文献１参照）。
【０００３】
【特許文献１】実開平２−２２１３０号公報（第１頁、第１図）
【発明の開示】
【発明が解決しようとする課題】
【０００４】
化粧品の販売店舗等において、特許文献１の鏡台ような鏡を備えたカウンタを使用する場合があり、その際に、複数の客が左右方向に並んでカウンタを使用したり、店員が客の隣でカウンタを使用したりすることがある。
【０００５】
しかしながら、このようなカウンタを例えば客と該客の担当の店員等が並んで使用する場合はよいが、複数人の客が並んで使用する際においては、隣り合う客同士の視線が鏡を通して交差することがあるため、隣の客の視線が気になって利用しにくくなるといった問題があった。
【０００６】
また、このようなカウンタにおいては、化粧品等の客のための試供品が複数載置されるが、これら複数の試供品がカウンタの左右方向に点在していると、複数の試供品を一度に取りにくいばかりか、使用しない試供品が邪魔になることがあった。
【０００７】
本発明は、このような問題点に着目してなされたもので、複数人が左右方向に並んで使用する鏡を備えたカウンタにおいて、隣り合うカウンタの使用者同士の視線を、鏡を通して合わせたり遮ったりすることができる鏡を備えたカウンタを提供することを目的とする。
【課題を解決するための手段】
【０００８】
上記課題を解決するために、本発明の請求項１に記載の鏡を備えたカウンタは、複数人が並んで使用可能なカウンタにおける天板上に仕切板を立設し、該仕切板の少なくとも前面側に左右方向に横長の鏡を設け、物品を収容可能であるとともに、互いに隣り合う使用者からの前記鏡を通しての視線を遮蔽するための遮蔽部を有する棚を、前記鏡の表面に沿って左右方向に移動自在に設けたことを特徴としている。
この特徴によれば、化粧品などの物品を棚に収容しておくことで、物品の非使用時には棚の移動により複数の物品をまとめて使用者の邪魔にならない場所まで移動したり、また、物品の使用時には複数の物品をまとめて使用者の近くまで移動することができるようになる。また、カウンタの使用者の状況等に応じて棚を移動することにより、視線を遮蔽するための遮蔽部を左右方向に移動させることができるため、左右方向に並んだ使用者同士の鏡を通しての視線を合わせたり遮蔽したりすることができる。
【０００９】
本発明の請求項２に記載の鏡を備えたカウンタは、請求項１に記載の鏡を備えたカウンタであって、前記遮蔽部は、前記鏡の上端縁から下端縁に渡って配置されていることを特徴としている。
この特徴によれば、鏡の使用者同士の鏡を通した視線を遮るときに、鏡の上端縁から下端縁に渡る上下幅の全てが遮蔽部によって遮蔽されるので、使用者同士の視線をより確実に遮ることができる。
【００１０】
本発明の請求項３に記載の鏡を備えたカウンタは、請求項１または２に記載の鏡を備えたカウンタであって、前記棚の少なくとも一部が、透光性を有する部材で構成されていることを特徴としている。
この特徴によれば、外方からの光が、棚を構成する部材を通過するので、鏡の表面や天板上に棚の影が形成され難くなり、鏡や天板が暗くなること防ぐことができる。
【００１１】
本発明の請求項４に記載の鏡を備えたカウンタは、請求項１ないし３のいずれかに記載の鏡を備えたカウンタであって、前記鏡の左右両側部に前後方向を向く側板を配置し、前記棚が、前記側板に当接されるようにしたことを特徴としている。
この特徴によれば、鏡の左右両側部に配置された側板によって、鏡を備えたカウンタの周囲にいる人々の使用者に対する視線を遮ることができるとともに、棚が側板に当接することで、棚の天板からの落下を防止することができる。
【発明を実施するための最良の形態】
【００１２】
本発明の実施例を以下に説明する。
【実施例１】
【００１３】
本発明の実施例に係る鏡を備えたカウンタを図面に基づいて説明すると、先ず図１（ａ）は、本発明の実施例１におけるカウンタを示す斜視図であり、図１（ｂ）は、ブラインドボックスを移動させた状態を示す斜視図であり、図２は、図１におけるカウンタを示すII−II縦断面図であり、図３は、実施例１におけるカウンタの使用例を示す平面図である。
【００１４】
図１の符号１は、化粧品などの販売を行なう店舗等の商業施設において使用される本発明の適用されたカウンタであり、以下、図１中における右下をカウンタの前方として説明すると、このカウンタ１は、左右に配置される板状の脚体２の上部に、少なくとも２人が同時に使用できるように横長の天板３が配置されており、この天板３の後端縁には、左右方向の幅が天板３と同じ幅の仕切板４が立設されている。
【００１５】
カウンタ１の前方側に、２脚の椅子（図示略）が設置されることで、カウンタ１が使用されるようになっており、仕切板４の前面側には、左右方向の幅が仕切板４の左右幅とほぼ同寸の横長の鏡５が取り付けられ、カウンタ１の前方側に座った２人の使用者が、左右方向に並んで同時に鏡５を使用できるようになっている。
【００１６】
鏡５が取り付けられた仕切板４の左右両端縁には、前後方向を向く側板６が固着されており、これらの側板６の下端は天板３にも固着され、仕切板４が前後方向にぐらつかないように補強しているとともに、カウンタ１の少なくとも後方側にいる周囲の人々のカウンタ１の使用者に対する視線を遮ることができるようになっている。
【００１７】
また、図１（ａ）に示すように、鏡５の前面側には、透光性を有する半透明のアクリル等の材質で形成された縦長の箱状の本実施例における棚としてのブラインドボックス７が配置されている。このブラインドボックス７は、ブラインドボックス７の左右に配置される遮蔽部としての側面板部材８と、これら側面板部材８の間に配置される３段の棚板部材９と、ブラインドボックス７の背面側に配置される遮蔽部としての背面板部材１１とで構成されている。
【００１８】
ブラインドボックス７は、天板３から鏡５の上端までの高さを有しているとともに、ブラインドボックス７の棚板部材９には、化粧品などの複数の物品１０が載置されるようになっている。
【００１９】
次に、図２中における左側をカウンタ１の前方として説明すると、ブラインドボックス７の背面板部材１１が鏡５の表面に近接されており、そのため鏡５の表面の一部の範囲が、背面板部材１１によって隠蔽されるようになっている。また、ブラインドボックス７の下方の棚板部材９は天板３に当接されており、ブラインドボックス７の荷重が天板３に加わるようになっている。
【００２０】
図２に示すように、ブラインドボックス７の背面板部材１１の上端には、フック状の連結部材１２が取り付けられており、この連結部材１２が仕切板４の上端縁に掛けられている。そのため、ブラインドボックス７の前方への転倒が防止されているとともに、図１（ｂ）に示すように、ブラインドボックス７が鏡５に沿って左右方向に自在に移動されるようになっている。
【００２１】
また、ブラインドボックス７は、フック状の連結部材１２によって仕切板４に連結されていることで、ブラインドボックス７が仕切板４に対して容易に着脱できるようになっている。そのためブラインドボックス７を仕切板４から取り外して天板３や鏡５を清掃できるようになっている。
【００２２】
図１（ｂ）に示すように、ブラインドボックス７が鏡５に沿って左右方向に移動可能となっていることで、ブラインドボックス７の位置を、カウンタ１の使用者の希望する位置に変更することができる。
【００２３】
また、ブラインドボックス７は鏡５の左右どちらかの端部まで移動したときに、ブラインドボックス７の側面板部材８が、仕切板４の左右両端部に固着されている側板６に当接されるようになっており、ブラインドボックス７の左右方向の移動が側板６によって規制されている。
【００２４】
更に、ブラインドボックス７を構成する側面板部材８や棚板部材９や背面板部材１１が、半透明の材質、つまり透光性を有する材質で形成されていることで、外方からの光が、ブラインドボックス７を通過するので、鏡５の表面や天板３上にブラインドボックス７の影が形成され難くなり、鏡５や天板３が暗くなることを防ぐことがでるきようになっている。
【００２５】
ブラインドボックス７の使用例を図３に基づいて説明すると、以下、図３における下方を前方として説明する。図３におけるカウンタ１の前方側に座った使用者の内、左側に位置する使用者Aと、右側に位置する使用者Bとが、互いに客Ａ、Ｂ同士であり、これらの客Ａ、Ｂ同士が隣り合ってカウンタ１の鏡５を使用する場合において、客Ａ、Ｂ同士の互いの視線は、鏡５の左右方向の略中間部の所定位置αで交差するようになっている。
【００２６】
このとき、ブラインドボックス７を、客Ａ、Ｂ同士の視線が鏡５を通して交差する所定位置αに配置すると、ブラインドボックス７における遮蔽部としての側面板部材８及び背面板部材１１によって、客Ａ、Ｂ同士の鏡５を通した互いの視線が遮られるようになり、客Ａ、Ｂ同士は、互いの視線を気にすることなく鏡５を使用できるようになっている。
【００２７】
前述したように、ブラインドボックス７が天板３から鏡５の上端縁までの高さを有することで、鏡５の上端縁から下端縁に渡る上下幅の全てが、ブラインドボックス７によって隠蔽され、客Ａ、Ｂ同士の視線をより確実に遮ることができるようになっている。
【００２８】
また、図３における左側に位置する使用者Ａが店員であり、右側に位置する使用者Ｂが客であり、接客する店員Ａと客Ｂとが隣り合ってカウンタ１の鏡５を使用する場合には、店員Ａと客Ｂの互いの視線が鏡５を通して交差する位置αから離れるように、ブラインドボックス７を鏡５の左方側の所定位置βに配置することで、店員Ａと客Ｂとが、鏡５を通して互いの視線を合わせることができるようになっている。
【００２９】
更に、前述したように、複数の物品１０がブラインドボックス７に収容可能となっており、客Ｂから離れた位置βに配置されているブラインドボックス７内の物品１０を客Ｂが必要とした場合に、ブラインドボックス７を鏡５に沿って移動させることで、客Ｂの目的とする物品１０を、客Ｂの手が届く範囲内まで容易に移動させることができるようになっている。
【実施例２】
【００３０】
次に、実施例２に係る鏡を備えたカウンタについて、図４を参照して説明する。図４（ａ）は、本発明の実施例２におけるカウンタを示す斜視図であり、図４（ｂ）は、ブラインドボックスを移動させた状態を示す斜視図であり、図５は、実施例２におけるカウンタの使用例を示す平面図である。以下、図４中における右下をカウンタの前方とし、図５中における上方をカウンタの後方とし、図５中における下方をカウンタの前方として説明する。
【００３１】
図４の符号１３は、化粧品などの販売を行なう店舗等の商業施設において使用される本発明の適用されたカウンタであり、このカウンタ１３は板状の脚体１４の上部に、前後方向の両側から少なくとも４人が同時に使用できるように横長の天板１５が配置されており、この天板１５における前後方向の中間部には、左右方向の幅が天板１５と同じ幅の仕切板１６が立設されている。
【００３２】
カウンタ１３の前方側及び後方側に、それぞれ２脚づつの椅子（図示略）が設置されることで、カウンタ１３が使用されるようになっており、図４（ｂ）及び図５に示すように、仕切板１６の前面側及び後面側には、左右方向の幅が仕切板１６の左右幅とほぼ同寸の横長の鏡１７、１８が取り付けられ、カウンタ１３の前方側に座った２人の使用者が、左右方向に並んで同時に前方側の鏡１７を使用できるとともに、カウンタ１３の後方側に座った２人の使用者が、左右方向に並んで同時に後方側の鏡１８を使用できるようになっている。
【００３３】
鏡１７、１８が取り付けられた仕切板１６の左右両端縁には、前後方向を向く側板１９、２０が前面側と後面側にそれぞれ固着されており、これらの側板１９、２０は、仕切板１６に取り付けられた鏡１７、１８の上下幅とほぼ同寸の上下幅を有し、カウンタ１３の前方側に座る使用者に対しては、カウンタ１３の少なくとも後方側にいる周囲の人々の視線が側板１９によって遮られるとともに、カウンタ１３の後方側に座る使用者に対しては、カウンタ１３の少なくとも前方側にいる周囲の人々の視線側板２０によって遮られるようになっている。
【００３４】
また、図４（ａ）及び図５に示すように、鏡１７、１８の表面側には、透光性を有する半透明のアクリル等の材質で形成された縦長の箱状の本実施例における棚としてのブラインドボックス２１、２２が配置されている。このブラインドボックス２１、２２は、ブラインドボックス２１、２２の左右に配置される遮蔽部としての側面板部材２３、２４と、これら側面板部材２３、２４の間に配置される２段の棚板部材２５、２６と、ブラインドボックス２１、２２の背面側に配置される遮蔽部としての背面板部材２８、２９とで構成されている。
【００３５】
ブラインドボックス２１、２２は、鏡１７、１８の上下幅とほぼ同じ寸法の上下幅を有しているとともに、ブラインドボックス２１、２２の棚板部材２５、２６には、化粧品などの複数の物品２７が載置されるようになっている。
【００３６】
ブラインドボックス２１、２２の背面板部材２８、２９が鏡１７、１８の表面に近接されており、そのため鏡１７、１８の表面の一部の範囲が、背面板部材２８、２９によって隠蔽されるようになっている。図４（ａ）に示すように、横長の鏡１７、１８の上下端縁にはガイドレール３０、３１が設けられており、このガイドレール３０、３１は、長手方向が鏡１７、１８の上下の縁辺に沿って延びている。
【００３７】
ブラインドボックス２１、２２の背面板部材２８、２９の上端及び下端には、連結部材（図示略）が取り付けられており、この連結部材（図示略）が鏡１７、１８の上下それぞれのガイドレール３０、３１に摺動自在に嵌合されていて、図４（ｂ）に示すように、ブラインドボックス２１、２２が鏡１７、１８に沿って左右方向に自在に移動されるようになっている。
【００３８】
図４（ｂ）及び図５に示すように、ブラインドボックス２１、２２が鏡１７、１８に沿って左右方向に移動可能となっていることで、ブラインドボックス２１、２２の位置を、カウンタ１３の使用者の希望する位置に変更することができる。
【００３９】
また、ブラインドボックス２１、２２は鏡１７、１８の左右どちらかの端部まで移動したときに、ブラインドボックス２１、２２の側面板部材２３、２４が、仕切板１６の左右両端部に固着されている側板１９、２０に当接されるようになっており、ブラインドボックス２１、２２の左右方向の移動が側板１９、２０によって規制されている。
【００４０】
更に、ブラインドボックス２１、２２を構成する側面板部材２３、２４や棚板部材２５、２６や背面板部材２８、２９が、半透明の材質、つまり透光性を有する材質で形成されていることで、外方からの光が、ブラインドボックス２１、２２を通過するので、鏡１７、１８の表面や天板１５上にブラインドボックス２１、２２の影が形成され難くなり、鏡１７、１８や天板１５が暗くなることを防ぐことがでるきようになっている。
【００４１】
ブラインドボックス２１、２２の使用例を図５に基づいて説明すると、図５におけるカウンタ１３の前方側に座った使用者の内、左側に位置する使用者Ｃと、右側に位置する使用者Ｄとが、互いに客Ｃ、Ｄ同士であり、これらの客Ｃ、Ｄ同士が隣り合ってカウンタ１３の前面側の鏡１７を使用する場合において、客Ｃ、Ｄ同士の互いの視線は、鏡１７の左右方向の略中間部の所定位置γで交差するようになっている。
【００４２】
このとき、ブラインドボックス２１を、客Ｃ、Ｄ同士の視線が鏡１７を通して交差する所定位置γに配置すると、ブラインドボックス２１における遮蔽部としての側面板部材２３及び背面板部材２８によって、客Ｃ、Ｄ同士の鏡１７を通した互いの視線が遮られるようになり、客Ｃ、Ｄ同士は、互いの視線を気にすることなく鏡１７を使用できるようになっている。
【００４３】
前述したように、ブラインドボックス２１が上下幅とほぼ同じ寸法の上下幅を有することで、鏡１７の上端縁から下端縁に渡る上下幅の全てが、ブラインドボックス２１によって隠蔽され、客Ｃ、Ｄ同士の視線をより確実に遮ることができるようになっている。
【００４４】
また、図５におけるカウンタ１３の後方側に座った使用者の内、左側に位置する使用者Ｅが客であり、右側に位置する使用者Ｆが接客する店員であり、客Ｅと接客する店員Ｆとが隣り合ってカウンタ１３の後面側の鏡１８を使用する場合には、客Ｅと店員Ｆの互いの視線が鏡１８を通して交差する位置γから離れるように、ブラインドボックス２２を鏡１８の右方側の所定位置δに配置することで、客Ｅと店員Ｆとが、鏡１８を通して互いの視線を合わせることができるようになっている。
【００４５】
更に、前述したように、複数の物品２７がブラインドボックス２２に収容可能となっており、客Ｅから離れた位置δに配置されているブラインドボックス２２内の物品２７を客Ｅが必要とした場合に、ブラインドボックス２２を鏡１８に沿って移動させることで、客Ｅの目的とする物品２７を、客Ｅの手が届く範囲内まで容易に移動させることができるようになっている。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、上記実施例では、ブラインドボックスが連結部材によって仕切板に連結される構成となっていたが、本発明はこれに限定されるものではなく、ブラインドボックスに連結部材を設けることなく、天板から鏡の上端までの高さとほぼ同じ高さを有する箱状のブラインドボックスを形成し、このブラインドボックスを天板上に載置することで、鏡の鏡の表面の一部を隠蔽するようにしてもよい。
【００４８】
また、上記実施例では、ブラインドボックスが、側面板部材と棚板部材と背面板部材とが箱状に組み立てられて形成されていたが、本発明はこれに限定されるものではなく、ブラインドボックスが、鏡を隠蔽する背面板部材に前方に突出する棚板部材を設けたような形状とし、背面板部材によって使用者同士の鏡を通した視線を遮るようにしてもよし、ブラインドボックスが、側面板部材と棚板部材とで箱状に組み立てられており、側面板部材によって使用者同士の鏡を通した視線を遮るようにしてもよい。
【００４９】
つまり、例えば前記実施例１におけるブラインドボックス７においては、互いに隣り合う使用者からの鏡を通しての視線を遮蔽するための遮蔽部は、鏡の表面の一部を隠蔽することにより視線を遮蔽する半透明の背面板部材１１と、鏡の表面から該鏡の表面を左右に仕切るように立設される側面板部材８とから構成されていたが、本発明における棚にあっては、背面板部材１１のように鏡の表面の一部を隠蔽することにより視線を遮蔽する遮蔽部（鏡の隠蔽部）、または側面板部材８のように鏡の表面から該鏡の表面を左右に仕切ることにより鏡の左右側からの視線を遮蔽する遮蔽部であってもよく、また、これらのうちいずれか一方の遮蔽部を備えていればよい。
【図面の簡単な説明】
【００５０】
【図１】（ａ）は、本発明の実施例１におけるカウンタを示す斜視図であり、（ｂ）は、ブラインドボックスを移動させた状態を示す斜視図である。
【図２】図１におけるカウンタを示すII−II縦断面図である。
【図３】実施例１におけるカウンタの使用例を示す平面図である。
【図４】（ａ）は、本発明の実施例２におけるカウンタを示す斜視図であり、（ｂ）は、ブラインドボックスを移動させた状態を示す斜視図である。
【図５】実施例２におけるカウンタの使用例を示す平面図である。
【符号の説明】
【００５１】
１                カウンタ
２                脚体
３                天板
４                仕切板
５                鏡
６                側板
７                ブラインドボックス（棚）
８                側面板部材（遮蔽部）
９                棚板部材
１０              物品
１１              背面板部材（遮蔽部）
１２              連結部材
１３              カウンタ
１４              脚体
１５              天板
１６              仕切板
１７、１８        鏡
１９、２０        側板
２１、２２        ブラインドボックス（棚）
２３、２４        側面板部材（遮蔽部）
２５、２６        棚板部材
２７              物品
２８、２９        背面板部材（遮蔽部）
３０、３１        ガイドレール
【図１】
2006020740.tif 000003
【図２】
2006020740.tif 000004
【図３】
2006020740.tif 000005
【図４】
2006020740.tif 000006
【図５】
2006020740.tif 000007